(57)【要約】【課題】  感光性記録媒体を低湿度状態の収容体内に収容、保管して、湿度による感光性記録媒体の性能劣化を防止することができる保管性に優れた感光性記録媒体用収容体を提供する。【解決手段】  感光性記録媒体用収容体１０は、収容ケース本体１Ａ、および蓋部本体２Ａの内壁面１ｄ，２ｄに水分を吸収する吸湿層８が形成され、感光性記録媒体４又は感光性記録媒体４が回転自在に収容された感光性記録媒体用カートリッジ３０を、低湿度状態で感光性記録媒体用収容体１０のディスク収容部３内に収容、保管でき、感光性記録媒体４の湿度による特性の劣化を防止できる。【選択図】  図１
2007087443.tif 000002
【特許請求の範囲】
【請求項１】
感光性記録媒体または前記感光性記録媒体が回転自在に収容された感光性記録媒体用カートリッジを収容可能なディスク収容部を備えた感光性記録媒体用収容体であって、
前記ディスク収容部には、水分を吸収する吸湿部材が設けられていることを特徴とする感光性記録媒体用収容体。
【請求項２】
前記吸湿部材が前記ディスク収容部の内壁面に形成された吸湿層であることを特徴とする請求項１に記載の感光性記録媒体用収容体。
【請求項３】
前記吸湿部材が、前記ディスク収容部内に設置された吸湿剤であることを特徴とする請求項１に記載の感光性記録媒体用収容体。
【請求項４】
前記吸湿部材が、硫酸マグネシウム、塩化カルシウム、シリカゲル、ゼオライトのうち少なくとも１種を含むことを特徴とする請求項１から３のいずれか１つに記載の感光性記録媒体用収容体。
【請求項５】
前記感光性記録媒体は、ホログラム記録媒体であることを特徴とする請求項１から４のいずれか１つに記載の感光性記録媒体用収容体。
【発明の詳細な説明】
【技術分野】
【０００１】
本発明は、ホログラム記録媒体などの感光性記録媒体を回転自在に収容する感光性記録媒体用カートリッジを収容して保管する感光性記録媒体用収容体に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
【特許文献１】特開２００４―０２９４７６号公報
【特許文献２】特開２００３―３１７４２２号公報
【発明の開示】
【発明が解決しようとする課題】
【０００６】
ホログラム記録媒体は感光性を有するので、裸のまま単体で保管することはできず、一枚ずつカートリッジ内に遮光された状態で収容されて保管されている。ホログラム記録媒体を収容するカートリッジは、カートリッジ本体自身やカートリッジ本体とシャッタとの間の遮光及び防塵が適切に行なわれないと、光や塵芥がカ一トリッジ内に進入し、ホログラム記録媒体に悪影響を与えてしまう。また、ホログラム記録層を構成する感光性材料であるフォトポリマーは、吸湿すると水分と反応する性質を有しており、ホログラム記録媒体の特性に悪影響を与える。しかし、特許文献１には、遮光構造、防塵構造に関する記載がなく、また湿度に対しても考慮されていない。
【０００７】
特許文献２に記載のカートリッジは、上半体と下半体とからなるカートリッジ本体とシャッタとの間をスポンジ状の遮光材で遮光している。また、上半体と下半体とからなるカートリッジ本体に、シャッタ機構を具備したものが記載されている。特許文献２に記載のカートリッジは、遮光材やシャッタ機構により遮光について考慮されているものの、防湿に関する記載は全くない。従って、カートリッジが湿度の高い場所に長期間保管されていると、湿度がカートリッジ本体内に進入して収容されているホログラム記録媒体の性能に悪影響を与えることがあった。
【０００８】
また、ホログラム記録媒体を大量に使用する事業所などにおいては、ホログラム記録媒体を裸の状態（即ち、カートリッジ本体に収容していない状態）で保管ケースなどに積層し、一括して収容、保管したい要求があるが、この場合も同様に保管ケースには、遮光性、防塵性と共に、保管ケース内を低湿度状態に維持する機能が求められる。しかし、従来、複数の感光性記録媒体を積層して収容できる保管ケースはなかった。
【０００９】
本発明は、上記事情に鑑みてなされたもので、その目的は、感光性記録媒体を低湿度状態の収容体内に収容、保管して、湿度による感光性記録媒体の性能劣化を防止することができる保管性に優れた感光性記録媒体用収容体を提供することにある。
【課題を解決するための手段】
【００１０】
本発明の上記目的は、下記感光性記録媒体用収容体によって達成される。
（１）  感光性記録媒体または前記感光性記録媒体が回転自在に収容された感光性記録媒体用カートリッジを収容可能なディスク収容部を備えた感光性記録媒体用収容体であって、前記ディスク収容部には、水分を吸収する吸湿部材が設けられていることを特徴とする感光性記録媒体用収容体。
【００１１】
上記構成の感光性記録媒体用収容体によれば、ディスク収容部の内部にディスク収容部内の水分を吸収する吸湿部材を有するので、感光性記録媒体用収容体の内部は低湿度の状態に維持される。従って、感光性記録媒体用収容体内に収容されている感光性記録媒体の吸湿が防止され、湿度による性能劣化がなく、感光性記録媒体を長期間安定して保管することができる。
【００１２】
（２）  前記吸湿部材が前記ディスク収容部の内壁面に形成された吸湿層であることを特徴とする上記（１）に記載の感光性記録媒体用収容体。
【００１３】
上記構成の感光性記録媒体用収容体によれば、ディスク収容部の内壁面に吸湿層が形成されているので、例え、感光性記録媒体用収容体が高湿度の環境にあっても、ディスク収容部内は低湿度状態に維持される。これにより、湿度による感光性記録媒体の性能劣化を防止することができる。
【００１４】
（３）  前記吸湿部材が、前記ディスク収容部内に設置された吸湿剤であることを特徴とする上記（１）に記載の感光性記録媒体用収容体。
【００１５】
上記構成の感光性記録媒体用収容体によれば、吸湿剤がディスク収容部内に設置されているので、ディスク収容部内の水分が吸湿剤に吸収されてディスク収容部内は低湿度状態に維持される。これにより、湿度による感光性記録媒体の性能劣化を防止することができる。
【００１６】
（４）  前記吸湿部材が、硫酸マグネシウム、塩化カルシウム、シリカゲル、ゼオライトのうち少なくとも１種を含むことを特徴とする上記（１）から（３）のいずれかに記載の感光性記録媒体用収容体。
【００１７】
上記構成の感光性記録媒体用収容体によれば、吸湿部材が、硫酸マグネシウム、塩化カルシウム、シリカゲル、ゼオライトのうち少なくとも１種を含んでいるので、ディスク収容部内の水分が効率的に吸収され、これによりディスク収容部内は低湿度状態に維持される。また、ディスク収容部内を低湿度状態に維持可能な感光性記録媒体用収容体を安価に提供することができる。
【００１８】
（５）  前記感光性記録媒体は、ホログラム記録媒体であることを特徴とする上記（１）から（４）のいずれかに記載の感光性記録媒体用収容体。
【００１９】
上記構成の感光性記録媒体用収容体によれば、ホログラム記録媒体の吸湿を効率的に防止し、ホログラム記録媒体を性能劣化させることなく長期間に亘って保管することができる。
【発明の効果】
【００２０】
本発明によれば、感光性記録媒体を低湿度状態の収容体内に収容、保管して、湿度による感光性記録媒体の性能劣化を防止することができる保管性に優れた感光性記録媒体用収容体を提供できる。
【発明を実施するための最良の形態】
【００２１】
以下、本発明の実施形態を図面に基づいて詳しく説明する。
（第１実施形態）
図１は本発明の第１実施形態の感光性記録媒体用収容体の斜視図、図２は感光性記録媒体の斜視図、図３は感光性記録媒体の要部拡大縦断面図、図４は感光性記録媒が回転自在に収容されたカートリッジの斜視図、図５は図１におけるＶ−Ｖ矢視断面図である。
【００２２】
図１に示すように、感光性記録媒体用収容体１０は、有底箱状に形成された容器である収容ケース１と、有底箱状に形成された蓋部２とからなり、収容ケース１に蓋部２を載せたとき内部に形成されるディスク収容部３に、ホログラム記録媒体などの感光性記録媒体（以下、記録ディスクと称する）４が単体（換言すれば、裸の状態）で、または記録ディスク４を回転自在に収容するカートリッジ３０（図４参照）が収容される。ディスク収容部３に収容される記録ディスク４またはカートリッジ３０は、単一でもよく、或いは、複数個を積層して収容してもよい。
【００２３】
図２に示すように、記録ディスク４は、中心部に穴４ａをあけてディスク状に形成したホログラム記録ディスクであり、直径（Ｄ）１２０ｍｍ、厚さ（ｔ）略２ｍｍ、穴４ａの内径（ｄ）１５ｍｍの多層のディスクである。記録ディスク４の構成は、図３に示すように、厚さ１．２ｍｍのポリカーボネートの基板層Ｌ１、厚さ７０ｎｍの反射層Ｌ２、厚さ１００μｍの第１ギャップ層Ｌ３、選択反射層Ｌ４、厚さ１００μｍの第２ギャップ層Ｌ５、フォトポリマが５００ｎｍの厚さで形成されたホログラム記録層Ｌ６、および０．６ｍｍの厚さのポリカーボネートからなるカバー層Ｌ７が、順次積層されている。
【００２４】
ホログラム記録層には、例えば、緑色５３２ｎｍ〜青色４０５ｎｍの波長域のレーザ光により、データがレーザ光の干渉縞として多層記録される。このような記録ディスク４を回転自在に収容するカートリッジ３０は、図４に示すように、記録ディスク４を収容するディスク収容部（図示せず）が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備える。
【００２５】
遮光板１２の上下面には、略長方形の外部開口１４、１５が形成されている。これらの外部開口１４,１５は、シャッタ１３が閉じ位置にあるときに、シャッタ１３によって閉じられている。シャッタ１３が矢印Ａ方向の開き位置に向けて移動すると、外部開口１４,１５とともに、外部開口１４,１５に対面するようにカートリッジ本体１１に設けられている同形状の開口１８,１９が開放される。これにより、ディスク収容部内に収容されている記録ディスク４の中心部と、記録面とが外部に露呈される。
【００２６】
図１および図５に示すように、収容ケース１および蓋部２は、収容ケース本体１Ａおよび蓋部本体２Ａと、収容ケース本体１Ａおよび蓋部本体２Ａの内壁面１ｄ，２ｄに形成された吸湿層８とからなる。収容ケース本体１Ａおよび蓋部本体２Ａは、ホログラム記録層の感応色を遮光するように遮光性物質が添加された熱可塑性プラスチックを用いて、射出成形により形成されている。収容ケース本体１Ａは、板状の底板１ａと４辺に連続して形成された側壁１ｂとにより形成された略矩形箱状部材である。図５に示すように、側壁１ｂの開放側端縁からは、更に矩形枠状のリブ１ｃが一体的に立設されて断面略Ｌ字形の段部が形成されている。
【００２７】
蓋部２は、収容ケース１に対応して形成された略矩形箱状部材であり、板状の天板２ａの端縁全周から矩形枠状の側壁２ｂが一体的に立設されており、側壁２ｂの開放側端縁からは、更に矩形枠状のリブ２ｃが一体的に立設されて、リブ１ｃに対応する断面略逆Ｌ字形の段部が形成されている。
【００２８】
図５に示すように、熱可塑性プラスチックにより形成された収容ケース本体１Ａおよび蓋部本体２Ａの内壁面１ｄ，２ｄには、吸湿部材を含む吸湿層８が形成されている。吸湿層８は、液体の有機材料及び固体の乾燥剤が混合している粘着剤からなっている。粘着剤の特性としては、室温固化型、加熱固化型、紫外線固化型、可視光固化型などがある。液体の有機材料としてエポキシ樹脂、ポリウレタン、ベークライト、ポリアミド、アクリル樹脂、ポリシロキサンなどの材料が挙げられる。また、固体の乾燥剤としては、アルカリ金属酸化物、アルカリ土類酸化物、金属ハロゲン化物、酸化バリウム、酸化カルシウム、硫酸カルシウム、塩化カルシウム、酸化リチウム、臭化カルシウム、炭酸カリウム、酸化アルミニウム、酸化マグネシウム、硫酸銅、塩化亜鉛、臭化亜鉛、塩化コバルト、シリカゲル、ゼオライト、分子篩などが挙げられる。
【００２９】
また、感光性記録媒体用収容体１０の外表面には、外部から感光性記録媒体用収容体１０内に進入する水分を防止する防湿膜５を形成してもよい。これにより、感光性記録媒体用収容体１０内に進入する湿気を阻止すると共に、ディスク収容部３内の水分を吸湿層８により吸収して、より効率的にディスク収容部３内を低湿度状態に維持することが可能となる。
【００３０】
防湿膜５は、ＳｉＯ２または酸素が一部欠落したＳｉＯｘなどを用いた真空成膜、ガラスや耐湿性プラスチックの焼成層、フッ素含有ポリマーなどのコーティングあるいはラミネートなどにより、収容ケース本体１Ａおよび蓋部本体２Ａの外表面に形成される。また防湿膜５には、アルミニウムなどが積層されて防湿機能に加えて遮光性を有する防湿遮光フィルムを用いることができる。
【００３１】
このような構成の感光性記録媒体用収容体１０は、図１に示すように、収容ケース１に記録ディスク４、またはカートリッジ３０を単一で、または複数個を積層させて入れた後、収容ケース１の略Ｌ字形段部と、蓋部２の略逆Ｌ字形段部とを嵌合させて蓋部２で収容ケース１を閉鎖し、ディスク収容部３に記録ディスク４、またはカートリッジ３０を収容する。このとき、ディスク収容部３には、窒素、アルゴン等の不活性な気体、または乾燥空気などを充填してもよい。また、収容ケース１と蓋部２との接合部には、粘着テープ６を巻き付けて密閉するのが好ましい。
【００３２】
このように記録ディスク４、またはカートリッジ３０が収容されたディスク収容部３は、その内部の水分が吸湿層８により吸収されて低湿度状態となり、湿度による記録ディスク４への影響が防止される。また、収容ケース１および蓋部２の外表面に防湿膜５を形成すれば、吸湿層８による上記効果に加えて、外部の水分がディスク収容部３内へ進入することが阻止され、より効果的に低湿度状態を維持できる。更に、ディスク収容部３に、酸素吸着剤や、窒素またはアルゴン等の不活性気体を充填するようにしてもよい。なお、感光性記録媒体用収容体１０に、水分量モニタや酸素量モニタを設置すれば、ディスク収容部３内の水分量や酸素量を容易にチェックすることができ、より好ましい。
【００３３】
（第２実施形態）
次に、本発明の第２実施形態の感光性記録媒体用収容体について、図６から図９に基づいて説明する。図６は袋状の形成された感光性記録媒体用収容体（以下、袋状収容体と略す）の斜視図、図７はフラップ部が閉じられて記録ディスクが収容された袋状収容体の断面図、図８は袋状収容体を形成するシート状部材の要部拡大断面図、図９は変形例の袋状収容体の要部断面図である。
【００３４】
図６から図８に示すように、袋状収容体２０は、シート状部材２２が折り返され、その３辺が気密に溶着されて袋状に形成されており、溶着されていない残りの一辺は、袋状収容体２０の開口２１側に延設されてフラップ部２０ａが形成されている。フラップ部２０ａには、粘着部材２４が塗布されている。
【００３５】
図８に示すように、シート状部材２２は、例えば、基材であるビニールシート２３の内面２３ａに吸湿層８が形成された部材である。吸湿層８には、第１実施形態において記載した吸湿部材中、基材（ビニールシート２３）に適合した任意の材料の使用が可能である。また、ビニールシート２３の外面２３ｂには、ＳｉＯ2などの防湿膜５を成膜しておいてもよい。防湿膜５も、ＳｉＯ2の防湿膜に限定されることはなく、第１実施形態において記載した各種の防湿膜の内、基材に適合した任意の防湿膜とすることができる。
【００３６】
そして、袋状収容体２０の開口２１から記録ディスク４を挿入した後、フラップ部２０ａを折り返して粘着部材２４により開口２１を封止して記録ディスク４を収容する。密閉された袋状収容体２０中には、酸素吸着剤や、窒素またはアルゴン等の不活性気体、或いは乾燥空気を充填するようにしてもよい。
【００３７】
また、図９に示すように、袋状収容体２０は、シート状部材２２の表面に、空気などの気体が封入された多数のセル２５を設けて形成すれば、耐衝撃性に優れた袋状収容体２０とすることができる。これにより、記録ディスク４の搬送中における落下や取扱い中における他部材との干渉などによる記録ディスク４の損傷を防止することができるので、望ましい。
【００３８】
（第３実施形態）
次に、本発明の第３実施形態の感光性記録媒体用収容体について、図１０に基づいて説明する。図１０は第３実施形態の感光性記録媒体用収容体の斜視図である。なお、第３実施形態の感光性記録媒体用収容体は、ディスク収容部の内壁面に形成された吸湿層の代わりに、ディスク収容部内に吸湿剤を備える以外は第１実施形態の感光性記録媒体用収容体と同様であるので、同一部分には同一符号または相当符号を付して説明を簡略化、または省略する。
【００３９】
図１０に示すように、第３実施形態の感光性記録媒体用収容体４０は、ディスク収容部３の一角に吸湿剤収容部４１が形成されており、吸湿剤収容部４１内には吸湿剤４２が収容されている。吸湿剤４２としては、第１実施形態の感光性記録媒体用収容体１０の吸湿層８に用いられた吸湿部材と同様のものが使用可能である。
【００４０】
ディスク収容部３内の水分は、吸湿剤４２によって吸収されるので、ディスク収容部３は低湿度状態に維持され、これにより、収容された記録ディスク４の湿度による性能劣化が防止される。吸湿剤４２は交換が容易であるので、感光性記録媒体用収容体４０は、容易に良好な状態に維持管理することができる。その他の作用および効果については、第１実施形態の上記説明から容易に類推可能であるので説明を省略する。
【００４１】
なお、図１０に示す実施形態においては、吸湿剤収容部４１内に吸湿剤４２を収容するものとして説明したが、これに限定されることはなく、例えば、板状に形成した吸湿剤４２を、収容ケース１の底部、または蓋部２の内部に設置するようにしてもよい。
【００４２】
（第４実施形態）
次に、本発明の第４実施形態の感光性記録媒体用収容体について、図１１および図１２に基づいて説明する。図１１は袋状の形成された感光性記録媒体用収容体（以下、袋状収容体と略す）の斜視図、図１２は記録ディスクが収容された袋状収容体の断面図である。なお、第４実施形態の袋状収容体は、基材の内面に形成された吸湿層の代わりに、袋状収容体内に吸湿剤を備える以外は第３実施形態の感光性記録媒体用収容体と同様であるので、同一部分には同一符号または相当符号を付して説明を簡略化、または省略する。
【００４３】
図１１および図１２に示すように、第４実施形態の袋状収容体５０は、内部に例えば、板状に形成された吸湿剤５２が記録ディスク４と共に収容されている。吸湿剤５２としては、第１実施形態において吸湿層８に用いられた吸湿部材と同様のものが使用可能である。
【００４４】
袋状収容体５０内の水分は、吸湿剤５２によって吸収されて袋状収容体５０内が低湿度状態に維持される。これにより、袋状収容体５０に収容された記録ディスク４の湿度による性能劣化が防止される。吸湿剤５２は交換が容易であるので、感光性記録媒体用収容体５０は、容易に良好な状態に維持管理することができる。その他の作用および効果については、第３実施形態の上記説明から容易に類推可能であるので説明を省略する。
【実施例】
【００４５】
本発明の効果を確認するため、本発明の感光性記録媒体用収容体に係る実施例と、該実施例と比較する比較例について説明する。実施例及び比較例ともに、供試した記録ディスクは、下記仕様のものとした（図３参照）。
基板層Ｌ１    ：ポリカーボネート製射出成形基板を使用し、厚さ（ｔ）を１．２ｍｍとし、外径（Ｄ）を１２０ｍｍとし、内径（ｄ）を１５ｍｍとした。
反射層Ｌ２    ：アルミをＤＣスパッタリングして厚さ７０ｎｍの層を形成した。
第１ギャップ層Ｌ３    ：ＰＣフィルムを粘着材で貼り付けて形成した。合計厚さを１００μｍとした。
選択反射層Ｌ４    ：ＴｉＯ2とＳｉＯ2の薄膜を交互にスパッタリングで積層して形成した。具体的には、ＴｉＯ2をＴ、ＳｉＯ2をＳ、で表すと、Ｔ・Ｓ・Ｔ・Ｓ・Ｔ・Ｓ・Ｔ・Ｓ・Ｔとなる。ＴｉＯ2およびＳｉＯ2の各層の厚さは、それぞれλ／（４ｎ）である。ここで、ｎはＴｉＯ2で２．５、ＳｉＯ2で１．５であり、波長λは５３２ｎｍである。
第２ギャップ層Ｌ５    ：ＰＣフィルムを粘着材で貼り付けて形成した。合計厚さを１００μｍとした。
ホログラム記録層Ｌ６    ：以下の処方によりフォトポリマを５００ｎｍ厚さに形成した。
・ジ（ウレタンアクリレート）オリゴマー（Ｅｃｈｏ  Ｒｅｓｉｎｓ社製、ＡＬＵ−３５１）・・・・・・・・・・・・５９質量部
・イソボルニルアクリレート・・・・・３０質量部
・ビニルベンゾエート・・・・・・・・１０質量部
・重合開始剤（チバスペシャルティケミカルズ社製、イルガキュア７８４）・・・・・・・・・・・・・・・・・・・・・・１質量部
カバー層Ｌ７    ：厚さ０．６ｍｍのポリカーボネートを使用した。
【００４６】
（実施例）
・試験条件および評価方法
上記仕様の記録ディスクを、黒い遮光袋に入れ、さらにシリカゲル１０ｇが収容されたビニール袋に入れ、３０℃、８５％ＲＨの環境中に１４日間保存し、その前後の記録特性を比較した。記録再生にはパルステック製のＳＨＯＴ１０００を使用し、最も鮮明に記録像が得られるパワーを測定した。
【００４７】
（比較例）
・試験条件および評価方法
ビニール袋にシリカゲルを入れないこと以外は上記実施例と同じとした。
【００４８】
上記試験により、下記の結果が得られた。
保存前                  保存後
実施例        １００ｍＪ／ｃｍ２      １１０ｍＪ／ｃｍ２
比較例        １００ｍＪ／ｃｍ２      １４０ｍＪ／ｃｍ２
【００４９】
上記試験結果に示されるように、３０℃、８５％ＲＨの環境に１４日間保存後の特性は、比較例において特性の劣化が認められたが、実施例においては殆ど変化が見られず、本発明の有効性が実証された。
【図面の簡単な説明】
【００５０】
【図１】第１実施形態の感光性記録媒体用収容体の斜視図である。
【図２】感光性記録媒体の斜視図である。
【図３】感光性記録媒体の要部拡大縦断面図である。
【図４】感光性記録媒が回転自在に収容されたカートリッジの斜視図である。
【図５】図１におけるＶ−Ｖ矢視断面図である。
【図６】第２実施形態の感光性記録媒体用収容体（袋状収容体）の斜視図である。
【図７】フラップ部が閉じられて記録ディスクが収容された袋状収容体の断面図である。
【図８】袋状収容体を形成するシート状部材の要部拡大断面図である。
【図９】変形例の袋状収容体の要部断面図である。
【図１０】第３実施形態の感光性記録媒体用収容体の斜視図である。
【図１１】第４実施形態の感光性記録媒体用収容体（袋状収容体）の斜視図である。
【図１２】記録ディスクが収容された袋状収容体の断面図である。
【符号の説明】
【００５１】
１           収容ケース
１ｄ         内壁面
２           蓋部
２ｄ         内壁面
３           ディスク収容部
４           記録ディスク（感光性記録媒体、ホログラム記録媒体）
８           吸湿層
１０，２０，４０，５０            感光性記録媒体用収容体
３０         カートリッジ（感光性記録媒体用カートリッジ）
４２，５２          吸湿剤
【図１】
2007087443.tif 000003
【図２】
2007087443.tif 000004
【図３】
2007087443.tif 000005
【図４】
2007087443.tif 000006
【図５】
2007087443.tif 000007
【図６】
2007087443.tif 000008
【図７】
2007087443.tif 000009
【図８】
2007087443.tif 000010
【図９】
2007087443.tif 000011
【図１０】
2007087443.tif 000012
【図１１】
2007087443.tif 000013
【図１２】
2007087443.tif 000014